(57)【要約】【課題】  ２つの事項を連動して表示するとき、その連動関係をわかりやすくする。【解決手段】  表示画面１０に第１および第２のウィンドウ１１Ａ、１１Ｂを２段に並べて表示する。ウィンドウ１１Ａに大分類による事項のサムネイル１２Ａを所定の順序で表示する。ウィンドウ１１Ｂに、ウィンドウ１１Ａの中央に表示されたサムネイルの事項に含まれる小分類の事項のサムネイル１２Ｂを所定の順序で表示する。サムネイル１２Ａ、１２Ｂの一方をスクロールしたとき、両者を連動してスクロールさせる。サムネイル１２Ａうち、ウィンドウ１１Ｂの中央に位置するサムネイル１２Ｂに対応する事項を含む大分類の事項のサムネイル１２Ａを、常にウィンドウ１１Ａの中央に表示する。【選択図】  図１
2008052621.tif 000002
【特許請求の範囲】
【請求項１】
ディスプレイの表示画面に第１および第２のウィンドウを表示し、
上記第１のウィンドウに第１の分類による事項を所定の順序で表示し、
上記第２のウィンドウに第２の分類による事項を所定の順序で表示し、
上記第１および第２の事項の一方の事項をスクロールさせたとき、他方の事項を連動してスクロールさせるとともに、
上記一方の事項のスクロールの分解能と、上記他方の事項のスクロールの分解能との割り合いを、上記第１の分類と上記第２の分類との割り合いに対応した大きさとする
ようにした表示のスクロール方法。
【請求項２】
ディスプレイの表示画面に第１および第２のウィンドウを２段に並べて表示し、
上記第１のウィンドウに大分類による事項を所定の順序で表示し、
上記第２のウィンドウに、上記第１のウィンドウの中央に表示された事項に含まれる小分類の事項を所定の順序で表示し、
この小分類の事項をユーザの操作により上記第２のウィンドウにおいてスクロールしたとき、
上記大分類の事項を上記第１のウィンドウにおいて連動してスクロールさせるとともに、
上記大分類の事項のうち、上記第２のウィンドウの中央に位置する上記小分類の事項を含む大分類の事項を、常に上記第１のウィンドウの中央に表示する
ようにした表示のスクロール方法。
【請求項３】
請求項２に記載の表示のスクロール方法において、
上記事項の表示がそのサムネイルによる表示である
ようにした表示のスクロール方法。
【請求項４】
請求項３に記載の表示のスクロール方法において、
上記大分類が年であり、
上記小分類が月である
ようにした表示のスクロール方法。
【請求項５】
ディスプレイの表示画面に第１および第２のウィンドウを表示する第１の処理と、
上記第１のウィンドウに第１の分類による事項を所定の順序で表示する第２の処理と、
上記第２のウィンドウに第２の分類による事項を所定の順序で表示する第３の処理と、
上記第１および第２の事項の一方の事項をスクロールさせたとき、他方の事項を連動してスクロールさせる第４の処理と、
上記一方の事項のスクロールの分解能と、上記他方の事項のスクロールの分解能との割り合いを、上記第１の分類と上記第２の分類との割り合いに対応した大きさとする第５の処理と
を、コンピュータに実行させるための表示プログラム。
【発明の詳細な説明】
【技術分野】
【０００１】
この発明は、表示のスクロール方法および表示プログラムに関する。
【背景技術】
【０００２】
パーソナルコンピュータの普及に伴い、各種のデータファイル、例えば、デジタルカメラで撮影した画像のデータファイル、ダウンロードした楽曲や映画のデータファイル、ブログなどのデータファイルを、個人で保管あるいは保存する機会が増えている。
【０００３】
そして、この保存したデータファイルの中から目的とするデータファイルを選び出す方法として、サムネイルを利用する方法がある。つまり、例えば、デジタルカメラで撮影した画像のデータファイルであれば、各画像のサムネイルを作成し、これを一覧表示する。そして、目的とする画像のサムネイルが見つかったら、そのサムネイルをクリックする。すると、その目的とする画像のデータファイルが選択され、その画像がディスプレイに本来の大きさや状態で表示される。
【０００４】
あるいは楽曲であれば、各楽曲のジャケットのサムネイルを一覧表示する。そして、そのうちの１つをクリックすると、対応する楽曲のデータファイルが選択され、その楽曲の再生が開始される。
【０００５】
ところが、データファイルの数（ファイル数）が多くなると、サムネイルの数も比例して多くなるので、そのサムネイルの表示方法を工夫する必要が出てくる。そこで、その表示方法として、
(1) サムネイルを時間順に表示するとともに、その時間軸の分解能（縮尺）を可変とする方法。 
(2) 分解能の異なる２つの時間軸で、それぞれサムネイルを表示する方法。 
などが考えられている。
【０００６】
(1)の方法は、例えば地図を表示するときにその縮尺を変更すると、全体が表示されたり、一部が拡大表示されたりするように、表示されるサムネイルを間引くことにより、サムネイルの時間的な分解能（時間間隔）を、例えば、日、月あるいは年に変更するものである。
【０００７】
この(1)の方法によれば、時間軸の分解能を任意に変更することにより、全体を俯瞰したり、気になるところを詳細に見たりすることができる
一方、(2)の方法は、例えば図９に示すような方法である。すなわち、図９は、パーソナルコンピュータにより、楽曲のデータファイルと、そのサムネイルとを管理している場合であり、符号１０は、そのディスプレイにおける表示画面（表示領域）を示す。そして、この表示画面１０には、横に長い長方形のウィンドウ１１Ａ、１１Ｂが上下２段に表示されている。
【０００８】
そして、上段のウィンドウ１１Ａには、楽曲のジャケットのサムネイル１２Ａが年単位で表示されている。つまり、サムネイル１２Ａは、それぞれの年に発売された楽曲のうち、その年に最もヒットした楽曲のジャケットのサムネイルであり、これらがウィンドウ１１Ａに発売年順に横一列に配列されて表示されている。また、サムネイル１２Ａの上部には、そのサムネイル１２Ａの楽曲が発売された「年」が数字１３Ａにより表示されている。さらに、ウィンドウ１１Ａの下部には、スクロールバー１４Ａが表示されるとともに、左右両側にはスクロールボタン１５Ａが表示されている。
【０００９】
同様に、下段のウィンドウ１１Ｂには、楽曲のジャケットのサムネイル１２Ｂが月単位で表示されている。この場合、サムネイル１２Ｂは、それぞれの月に発売された楽曲のうち、その月に最もヒットした楽曲のジャケットのサムネイルであり、これらがウィンドウ１１Ｂに発売月順に横一列に配列されて表示されている。なお、この月ごとのサムネイル１２Ｂは年を越えて連続するものであり、すなわち、ある年の１月のサムネイルの左側には前年の12月のサムネイルが続き、逆に、ある年の12月のサムネイルの右側には翌年の１月のサムネイルが続く。
【００１０】
また、サムネイル１２Ｂの上部には、そのサムネイル１２Ｂの楽曲が発売された「年月」が数字１３Ｂにより表示されている。さらに、ウィンドウ１１Ｂの下部には、スクロールバー１４Ｂが表示されるとともに、左右両側にはスクロールボタン１５Ｂが表示されている。
【００１１】
そして、マウス（図示せず）によりスクロールバー１４Ａを左方向あるいは右方向にドラッグ（移動）すると、あるいはスクロールボタン１５Ａを押すと、年ごとのサムネイル１２Ａが連続的に左方向あるいは右方向に移動する。したがって、スクロールバー１４Ａあるいはスクロールボタン１５Ａを操作すると、任意の年のサムネイル１２Ａをウィンドウ１１Ａに表示することができる。
【００１２】
同様に、スクロールバー１４Ｂあるいはスクロールボタン１５Ｂを操作すると、月ごとのサムネイル１２Ｂが連続的に左方向あるいは右方向に移動し、任意の月のサムネイル１２Ｂをウィンドウ１１Ｂに表示することができる。
【００１３】
ただし、この場合、上記のようにスクロールバー１４Ａ、１４Ｂあるいはスクロールボタン１５Ａ、１５Ｂを操作してサムネイル１２Ａあるいは１２Ｂを移動させるとき、図１１にも示すように、サムネイル１２Ａとサムネイル１２Ｂとはリニアに連動して移動するものとされる。
【００１４】
すなわち、図１０にも示すように、上側のスクロールバー１４Ａあるいはスクロールボタン１５Ａを操作して年ごとのサムネイル１２Ａを連続的に移動させると、これにリニアに連動して月ごとのサムネイル１２Ｂが連続的に移動する。このサムネイル１２Ｂの移動は、サムネイル１２Ａと同じ方向で、かつ、サムネイル１２Ａの移動の12倍の割り合いとされる。
【００１５】
逆に、下側のスクロールバー１４Ｂあるいはスクロールボタン１５Ｂを操作して月ごとのサムネイル１２Ｂを連続的に移動させると、これに連動して年ごとのサムネイル１２Ａがリニアに連続的に移動する。このサムネイル１２Ａの移動は、サムネイル１２Ｂと同じ方向で、かつ、サムネイル１２Ｂの移動の1/12倍の割り合いとされる。
【００１６】
つまり、図１１にも示すように、サムネイル１２Ａとサムネイル１２Ｂとは、時間軸の分解能は異なるが、時間的に同じ速度で移動するものである。なお、例えば図９Ａに示すように、ウィンドウ１１Ｂの中央に1999年の６月のサムネイル１２Ｂが位置しているときには、ウィンドウ１１Ａの中央よりもやや左側に1999年のサムネイル１２Ａが位置するようにされる。すなわち、サムネイル１２Ａ、１２Ｂが表示されるとき、サムネイル１２Ａの表示位置と、サムネイル１２Ｂの表示位置との間に、位相差を生じないように同期が取られる。
【００１７】
そして、この(2)の方法では、分解能の異なる２つの時間軸でサムネイル１２Ａ、１２Ｂを同時に並べて表示しているので、全体の俯瞰や詳細な情報の比較が容易である。また、ウィンドウ１１Ａ、１１Ｂの一方をスクロールすると、他方が連動してスクロールするので、両方のウィンドウ１１Ａ、１１Ｂをそれぞれスクロールさせる必要がなく、操作の手間を省くことができる。さらに、ウィンドウ１２Ａ、１２Ｂの時間軸の分解能を等しくするとともに、非連動とすれば、２つのサムネイル１２Ａ、１２Ｂを比較することができる。
【００１８】
なお、先行技術文献として例えば以下のものがある。
【特許文献１】特開２００３−７５４７３号公報
【発明の開示】
【発明が解決しようとする課題】
【００１９】
ところが、(1)の方法の場合には、状況に応じて分解能を切り換える必要があるので、操作が面倒である。さらに、例えば２つのサムネイルのどちらが目的とするものであるかを比較しようとしても、これができない。また、間引きされているサムネイルは、時間軸を拡大したときにのみ表示されるので、サムネイルが間引かれているか否かは、分解能を変更してみなければわからない。
【００２０】
また、(2)の方法の場合には、ウィンドウ１１Ａとウィンドウ１１Ｂとがそれらの時間的な分解能でリニアに連動するため、表示内容によっては不向きなことがある。
【００２１】
例えば、サムネイル１２Ｂが、図９に示す状態から図１０に示すように、1999年12月を中心とする位置までスクロールされると、サムネイル１２Ａは1999年と2000年との間を中心とする位置までスクロールされる。そして、サムネイル１２Ｂが2000年１月を中心とする位置までスクロールされると、サムネイル１２Ａは1999年と2000年のと間を中心とする位置からわずかに左へスクロールされる。
【００２２】
このため、ウィンドウ１１Ｂにおいては、閲覧しているサムネイル１２Ｂが1999年から2000年へ変化しているにも関わらず、サムネイル１２Ａの表示はあまり変わらず、ウィンドウ１１Ａを見ただけでは1999年を中心としているのか2000年を中心としているのかが瞬時に把握しにくく、混乱のもととなってしまう。
【００２３】
この発明は、以上のような問題点を解決しようとするものである。
【課題を解決するための手段】
【００２４】
この発明においては、
ディスプレイの表示画面に第１および第２のウィンドウを表示し、
上記第１のウィンドウに第１の分類による事項を所定の順序で表示し、
上記第２のウィンドウに第２の分類による事項を所定の順序で表示し、
上記第１および第２の事項の一方の事項をスクロールさせたとき、他方の事項を連動してスクロールさせるとともに、
上記一方の事項のスクロールの分解能と、上記他方の事項のスクロールの分解能との割り合いを、上記第１の分類と上記第２の分類との割り合いに対応した大きさとする
ようにした表示のスクロール方法
とするものである。
【発明の効果】
【００２５】
この発明によれば、スクロールが連動する２つのウィンドウにおいて、連動元のウィンドウのサムネイルをスクロールさせたとき、連動先のウィンドウのサムネイルはその表示単位のスクロールとなる。したがって、連動元のサムネイルと連動先のサムネイルとの対応が分かりやすく、瞬時に２つのサムネイルの対応関係を把握することができる。
【発明を実施するための最良の形態】
【００２６】
〔１〕  表示例
図１は、この発明における表示画面の表示例を示し、この例においては、図９の場合と同様、パーソナルコンピュータにより、楽曲のデータファイルと、そのサムネイルとを管理する場合であり、サムネイルがその楽曲のＣＤのジャケットの場合である。また、図１において、符号１０はそのディスプレイにおける表示画面（表示領域）を示し、この例においては、この表示画面１０の全域を使用している場合である。
【００２７】
この表示画面１０には、横に長い長方形のウィンドウ１１Ａ、１１Ｂが上下２段に並んで表示されている。そして、上段のウィンドウ１１Ａには、楽曲のジャケットのサムネイル１２Ａが年単位で表示されている。つまり、サムネイル１２Ａは、それぞれの年に発売された楽曲のうち、その年に最もヒットした楽曲のジャケットのサムネイルであり、これらがウィンドウ１１Ａに発売年順に横一列に配列されて表示されている。また、サムネイル１２Ａの上部には、そのサムネイル１２Ａの楽曲が発売された「年」が数字１３Ａにより表示されている。さらに、ウィンドウ１１Ａの下部には、スクロールバー１４Ａが表示されるとともに、左右両側にはスクロールボタン１５Ａが表示されている。
【００２８】
同様に、下段のウィンドウ１１Ｂには、楽曲のジャケットのサムネイル１２Ｂが月単位で表示されている。この場合、サムネイル１２Ｂは、それぞれの月に発売された楽曲のうち、その月に最もヒットした楽曲のジャケットのサムネイルであり、これらがウィンドウ１１Ｂに発売月順に横一列に配列されて表示されている。なお、この月ごとのサムネイル１２Ｂは年を越えて連続するものであり、すなわち、ある年の１月のサムネイルの左側には前年の12月のサムネイルが続き、逆に、ある年の12月のサムネイルの右側には翌年の１月のサムネイルが続く。
【００２９】
また、サムネイル１２Ｂの上部には、そのサムネイル１２Ｂの楽曲が発売された「年月」が数字１３Ｂにより表示されている。さらに、ウィンドウ１１Ｂの下部には、スクロールバー１４Ｂが表示されるとともに、左右両側にはスクロールボタン１５Ｂが表示されている。
【００３０】
そして、マウス（図示せず）によりスクロールバー１４Ａを左方向あるいは右方向にドラッグ（移動）すると、あるいはスクロールボタン１５Ａを押すと、年ごとのサムネイル１２Ａが左方向あるいは右方向に移動する。したがって、スクロールバー１４Ａあるいはスクロールボタン１５Ａを操作すると、任意の年のサムネイル１２Ａをウィンドウ１１Ａに表示することができる。
【００３１】
同様に、スクロールバー１４Ｂあるいはスクロールボタン１５Ｂを操作すると、月ごとのサムネイル１２Ｂが連続的に左方向あるいは右方向に移動し、任意の月のサムネイル１２Ｂをウィンドウ１１Ｂに表示することができる。
【００３２】
ここまでは、図９の表示方法と同様であるが、特にこの発明においては、サムネイル１２Ａ、１２Ｂを以下のようにノンリニアに連動させる。なお、以下の説明において、「あるサムネイル１２Ｂ（あるいは１２Ａ）がウィンドウ１１Ｂ（あるいは１１Ａ）に表示されている状態」とは、「そのサムネイル１２Ｂの少なくとも一部がウィンドウ１１Ｂの中央に位置している状態」を含むものとする。
【００３３】
すなわち、例えば図１に示すように、月ごとのサムネイル１２Ｂとして1999年６月のサムネイルがウィンドウ１１Ｂの中央に表示されている状態のとき、スクロールバー１４Ｂあるいはスクロールボタン１５Ｂを操作してサムネイル１２Ｂを連続的にスクロールさせ、例えば図２に示すように、サムネイル１２Ｂとして1999年12月のサムネイルをウィンドウ１１Ｂの中央に表示させたとする。
【００３４】
しかし、サムネイル１２Ｂがこの表示状態になっても、図２に示すように、年ごとのサムネイル１２Ａはスクロールされることはなく、図１の状態と同様、1999年のサムネイルがウィンドウ１１Ａの中央に位置したままとされる。
【００３５】
そして、さらに、スクロールバー１４Ｂあるいはスクロールボタン１５Ｂを操作してサムネイル１２Ｂを連続的にスクロールさせ、例えば図３に示すように、サムネイル１２Ｂとして2000年１月のサムネイルをウィンドウ１１Ｂ中央に表示させたとする。すると、この場合には、図３にも示すように、年ごとのサムネイル１２Ａは１駒分だけスクロールされ、2000年のサムネイルがウィンドウ１１Ａの中央に表示される。
【００３６】
以下同様に、サムネイル１２Ｂを経時方向にスクロールさせていっても、2000年１月〜12月のサムネイル１２Ｂがウィンドウ１１Ｂの中央に表示されている状態では、年ごとのサムネイル１２Ａとして2000年のサムネイルがウィンドウ１１Ａの中央に表示されたままとされ、続いてサムネイル１２Ｂとして2001年１月のサムネイルがウィンドウ１１Ｂの中央までスクロールされると、サムネイル１２Ａは１駒分だけスクロールされ、2001年のサムネイルがウィンドウ１１Ａの中央に表示される。
【００３７】
逆に、例えば図３の表示状態からサムネイル１２Ｂを連続的にスクロールさせて図２に示すように、サムネイル１２Ｂとして1999年12月のサムネイルをウィンドウ１１Ｂの中央に表示させたとときには、年ごとのサムネイル１２Ａがスクロールされ、1999年のサムネイルがウィンドウ１１Ａの中央に表示される。
【００３８】
そして、さらに、図１に示すように、サムネイル１２Ｂをスクロールさせて1999年１月のサムネイルをウィンドウ１１Ｂ中央に表示させたときも、サムネイル１２Ａはそのままとされ、1999年のサムネイルがウィンドウ１１Ａの中央に表示されたままとされる。
【００３９】
以下同様に、サムネイル１２Ｂを経時方向と逆方向にスクロールさせていっても、1999年12月〜１月のサムネイル１２Ｂがウィンドウ１１Ｂの中央に表示されている状態では、年ごとのサムネイル１２Ａとして1999年のサムネイルがウィンドウ１１Ａの中央に表示されたままとされ、次にサムネイル１２Ｂとして1998年12月のサムネイルがウィンドウ１１Ｂの中央までスクロールされると、サムネイル１２Ａは１駒分だけスクロールされ、1998年のサムネイルがウィンドウ１１Ａの中央に表示される。
【００４０】
すなわち、サムネイル１２Ｂをスクロールした場合、図４にも示すように、ウィンドウ１１Ｂの中央に、Ｎ年ｎ月（Ｎは年を示す数字。ｎは月を示す数字で１〜12のどれか）のサムネイル１２Ｂが表示されている状態では、そのサムネイル１２Ｂが何月のものであっても、ウィンドウ１１Ａの中央には、Ｎ年のサムネイル１２Ａが表示される。したがって、サムネイル１２Ｂを連続的にスクロールさせても、サムネイル１２Ａはステップ的にスクロールされることになる。
【００４１】
一方、図１あるいは図２の表示状態にあるとき、スクロールバー１４Ａあるいはスクロールボタン１５Ａを操作してサムネイル１２Ａを経時方向にスクロールさせ、例えば図３に示すように、2000年のサムネイル１２Ａをウィンドウ１１Ａの中央に表示させたとする。すると、図３にも示すように、月ごとのサムネイル１２Ｂがスクロールされて2000年１月のサムネイル１２Ｂがウィンドウ１１Ｂの中央に表示される。
【００４２】
以下同様に、サムネイル１２Ａを経時方向にスクロールさせて（Ｎ−１）年のサムネイルからＮ年のサムネイル１２Ａをウィンドウ１１Ａの中央に表示させると、サムネイル１２Ｂが経時方向にスクロールされてＮ年１月のサムネイル１２Ｂがウィンドウ１１Ｂの中央に表示される。
【００４３】
逆に、サムネイル１２Ａを経時方向とは逆方向にスクロールさせて（Ｎ＋１）年のサムネイルからＮ年のサムネイル１２Ａをウィンドウ１１Ａの中央に表示させると、サムネイル１２Ｂが経時方向とは逆方向にスクロールされてＮ年12月のサムネイル１２Ｂがウィンドウ１１Ｂの中央に表示される。
【００４４】
以上のように、上述のスクロール表示においては、年ごとのサムネイル１２Ａと、月ごとのサムネイル１２Ｂとが連動してスクロールされるが、図４にも示すように、月ごとのサムネイル１２Ｂを連続的にスクロールさせても、年ごとのサムネイル１２Ａは年単位でステップ的にスクロールされる。
【００４５】
したがって、年ごとのサムネイル１２Ａと月ごとのサムネイル１２Ｂとの対応が分かりやすい。また、年ごとのサムネイル１２Ａと、月ごとのサムネイル１２Ｂとが同時に表示されるので、全体を俯瞰的に見ることができると同時に、一部を詳細に見ることができる。
【００４６】
〔２〕  ハードウェアおよびソフトウェアの説明
ここでは、上記のスクロールを実現するためのハードウェアおよびソフトウェアについて、説明する。
【００４７】
〔２−１〕  ハードウェアの例
図５において、符号１００はこの発明を適用したパーソナルコンピュータの一例を示す。このパーソナルコンピュータ１００は、一般のパーソナルコンピュータと同様に構成されているものであり、ＣＰＵ１０１と、ＲＯＭ１０２と、ＲＡＭ１０３とを有する。
【００４８】
この場合、ＣＰＵ１０１は各種のプログラムを実行するものであり、ＲＯＭ１０２には、ＣＰＵ１０１により実行されるＢＩＯＳや基本的なデータが書き込まれている。また、ＲＡＭ１０２は、ＣＰＵ１０１がプログラムを実行するときのワークエリアとなるものであり、これらメモリ１０２、１０３はシステムバス１１１を通じてＣＰＵ１０１に接続されている。
【００４９】
さらに、システムバス１１１には、大容量のストレージとしてハードディスク装置１０４が接続されている。この場合、ハードディスク装置１０４には、このパーソナルコンピュータ１００を機能させるためのＯＳと、〔１〕により説明したサムネイルの表示を実現するためのプログラムとが蓄積されているとともに、さらに、楽曲として再生されるデジタルオーディオデータおよびその楽曲のジャケットをサムネイル１２Ａ、１２Ｂとして表示する画像データとが蓄積されている。
【００５０】
また、システムバス１１１には、通信インターフェイス回路１０５が接続され、パーソナルコンピュータ１００は、通信インターフェイス回路１０５を通じて外部のネットワーク１３１に接続されている。このネットワーク１３１には、図示はしないが、ホームサーバ、ＮＡＳ、外部のサーバあるいは上位のネットワークなどが接続されている。
【００５１】
さらに、パーソナルコンピュータ１００には、オーディオ再生回路１０６および表示制御回路１０７が設けられ、これらもシステムバス１１１に接続されている。オーディオ再生回路１０６は、これにデジタルオーディオデータが供給されたとき、そのデジタルオーディオデータをアナログオーディオ信号にＤ／Ａ変換し、そのアナログオーディオ信号をスピーカ１２１Ｌ、１２１Ｒに供給するものである。
【００５２】
また、表示制御回路１０７は、図示はしないがビデオＲＡＭを有し、このビデオＲＡＭに表示データが供給されるとともに、その表示データを所定の周期で繰り返し読み出してビデオ信号に変換し、このビデオ信号をディスプレイ１２２に供給して画像を表示するものである。さらに、文字入力手段およびポインティングデバイスとして、キーボード１０８およびマウス１０９がシステムバス１１１に接続されている。
【００５３】
〔２−２〕  ソフトウェアの例
図６は、サムネイル１２Ａとサムネイル１２Ｂとを、〔１〕で説明したようにステップ的に連動してスクロールさせるためのルーチンの一例を示す。なお、以下においては、サムネイル１２Ｂをマウス１０９によりスクロールさせたとき、サムネイル１２Ａがステップ的に連動してスクロールする場合である。つまり、
・連動元：ウィンドウ１１Ｂおよびサムネイル１２Ｂ
・連動先：ウィンドウ１１Ａおよびサムネイル１２Ａ
とする。
【００５４】
このルーチン２００は、ハードディスク装置１０４に用意され、ＣＰＵ１０１によりＲＡＭ１０３にロードされて実行されるものである。なお、図６においては、ルーチン２００は、この発明に関係する部分だけを抜粋して示している。また、ユーザは、必要な操作をマウス１０９により行う場合である。
【００５５】
すなわち、ルーチン２００の実行を指示すると、ＣＰＵ１０１の処理がルーチン２００のステップ２０１からスタートし、次にステップ２０２において、初期設定が行われる。この初期設定としては、ハードディスク装置１０４から所定の画像データを読み出して表示制御回路１０７に供給し、ディスプレイ１２２にウィンドウ１１Ａ、１１Ｂを表示するとともに、例えば、ハードディスク装置１０４に蓄積されているサムネイル１２Ａ、１２Ｂの画像データを読み出して表示制御回路１０７に供給し、この結果、ディスプレイ１２２に例えば図１に示すようにサムネイル１２Ａ、１２Ｂを年月順に表示する処理が含まれる。
【００５６】
続いて、ステップ２１１において、マウス１０９の左ボタンが押されているか否か判別され、左ボタンの押圧待ちとなる。そして、マウス１０９の左ボタンが押されると、処理はステップ２１１からステップ２１２に進み、このときのマウスポインタ座標が取得され、次にステップ２１３において、ステップ２１２により取得したマウスポインタの位置が、スクロールバー１４Ａあるいは１４Ｂの中に位置しているか否かが判別される。今の場合は、連動元がウィンドウ１１Ｂおよびサムネイル１２Ｂであるから、スクロールバー１４Ｂの中に位置していることになる。
【００５７】
そして、スクロールバー１４Ｂの中に位置しているときには、処理はステップ２１３からステップ２２１に進み、このステップ２２１において、このとき、連動元のサムネイル１２Ｂのうち、ウィンドウ１１Ｂの中央に表示されているサムネイル１２Ｂ1（ウィンドウ１１Ｂの中央に、少なくとも一部が位置しているサムネイル１２Ｂ1）が判別される。続いて、ステップ２２２において、マウスの操作によりスクロールバー１４Ｂが移動（ドラッグ）されたか否かが判別される。
【００５８】
そして、移動されたときには、処理はステップ２２２からステップ２２３に進み、このステップ２２３において、連動元であるサムネイル１２Ｂがスクロールバー１４Ｂの移動方向におよび移動量に対応してスクロールされ、ステップ２２４において、スクロールされたサムネイル１２Ｂのうち、ウィンドウ１１Ｂの中央に表示されているサムネイル１２Ｂ2（ウィンドウ１１Ｂの中央に、少なくとも一部が位置しているサムネイル１２Ｂ2）が判別される。
【００５９】
続いて、ステップ２２５において、ステップ２２１により中央に位置していることが判別されたサムネイル１２Ｂ1と、ステップ２２４により中央に位置していることが判別されたサムネイル１２Ｂ2とが、同じ年のものであるか否かが判別され、異なる年のときには、処理はステップ２２５からステップ２２６に進み、このステップ２２６において、ウィンドウ１１Ａのサムネイル１２Ａが、サムネイル１２Ｂと同じ方向に１年分、すなわち、１駒だけスクロールされ、その後、処理はステップ２２７に進む。
【００６０】
また、ステップ２２５において、サムネイル１２Ｂ1と、サムネイル１２Ｂ2とが同じ年のもののときには、処理はステップ２２５からステップ２２７に進み、このとき、サムネイル１２Ａはスクロールされない。
【００６１】
したがって、サムネイル１２Ｂをスクロールさせたとき、ウィンドウ１１Ｂの中央に位置するサムネイル１２Ｂの年が変わったときには、サムネイル１２Ａが１年分だけスクロールされ、サムネイル１２Ｂの月が変わっても年が変わらないときには、サムネイル１２Ａはスクロールされないことになる。つまり、サムネイル１２Ｂと、１２Ａとは、図４に示すように、ステップ的に連動することになる。
【００６２】
そして、ステップ２２７において、マウス１０９の左ボタンが押されたままであるか否かが判別され、押されたままのときには、処理はステップ２２７からステップ２２１に戻る。したがって、マウス１０９によりスクロールバー１４Ｂの移動を続けていくと、それにつれてサムネイル１２Ｂがスクロールされるとともに、サムネイル１２Ｂが次の年あるいは前の年のサムネイルになったとき、サムネイル１２Ａが１年後あるいは１年前のサムネイルに変化することになる。
【００６３】
また、ステップ２２７において、マウス１０９の左ボタンが押されていないときには、処理はステップ２２７からステップ２１１に戻り、次のマウス１０９の左ボタンの押圧待ちとなる。さらに、ステップ２２２において、スクロールバー１４Ｂが移動していないときも、処理はステップ２２２からステップ２１１に戻る。
【００６４】
一方、ステップ２１３において、ステップ２１２により取得したマウスポインタの位置を判別した場合に、マウスポインタがスクロールバー１４Ｂに位置していないときには、処理はステップ２１３からステップ２３１に進み、このステップ２３１において、マウスポインタがサムネイル１２Ａあるいは１２Ｂに位置しているか否かが判別される。
【００６５】
そして、サムネイル１２Ａあるいは１２Ｂに位置しているときには、処理はステップ２３１から２３２に進み、このステップ２３２において、マウスポインタが位置しているサムネイルに対応する楽曲のデジタルオーディオデータが、ハードディスク装置１０４から読み出され、この読み出されたデジタルオーディオデータが再生回路１０６に供給されてアナログオーディオ信号にＤ／Ａ変換され、この信号がスピーカ１２１Ｌ、１２１Ｒに供給される。
【００６６】
したがって、ウィンドウ１１Ａ、１１Ｂに表示されたサムネイル１２Ａ、１２Ｂを指示すると、そのサムネイルとして表示されている楽曲を再生できることになる。なお、この楽曲の再生を終了すると、図６のルーチン２００の場合には、ＣＰＵ１０１の処理はステップ２３２からステップ２１１に戻り、次の操作待ちとなる。
【００６７】
また、ステップ２３１において、マウスポインタがサムネイル１２Ａ、１２Ｂに位置していないときには、処理はステップ２３１からステップ２４１に進み、このステップ２４１において、このときのマウスポインタの位置に対応した処理、例えば終了処理が実行される。
【００６８】
なお、連動元と連動先とが逆の場合、すなわち、
・連動元：ウィンドウ１１Ａおよびサムネイル１２Ａ
・連動先：ウィンドウ１１Ｂおよびサムネイル１２Ｂ
の場合には、ルーチン２００におけるステップ２２６を変更し、サムネイル１２Ａを経年方向にスクロールさせたときには、サムネイル１２Ｂとして変更後の年の１月のサムネイルを中央に表示し、サムネイル１２Ａを経年方向とは逆方向にスクロールさせたときには、サムネイル１２Ｂとして変更後の年の12月のサムネイルを中央に表示すればよい。
【００６９】
〔３〕  他の表示例
〔３−１〕  その１
図７に示す例においては、ウィンドウ１１Ａとウィンドウ１１Ｂとで異なる事項を連動表示させた場合である。すなわち、ウィンドウ１１Ａには、各年の重大ニュースを示すサムネイル１２Ａが年順に表示され、ウィンドウ１１Ｂには、各年に最もヒットした楽曲のジャケットのサムネイル１２Ｂが発売年順に表示されている。また、この例においては、サムネイル１２Ａと１２Ｂとは、同じ年のものが上下に並ぶように（位相がずれないように）表示されている。
【００７０】
そして、〔１〕の場合と同様、サムネイル１２Ｂをスクロールをさせると、これに連動してサムネイル１２Ａが、サムネイル１２Ｂと同じ方向に同じ割り合いでスクロールされる。あるいは逆に、サムネイル１２Ａをスクロールをさせると、これに連動してサムネイル１２Ｂが、サムネイル１２Ａと同じ方向に同じ割り合いでスクロールされる。
【００７１】
また、サムネイル１２Ａをクリックしたときには、そのサムネイル１２Ａの重大ニュースの詳細が表示画面１０の全域に表示され、サムネイル１２Ｂをクリックしたときには、そのサムネイル１２Ｂの楽曲が再生される。
【００７２】
したがって、ウィンドウ１１Ａに表示されているサムネイル１２Ａをヒントにして目的とする楽曲のサムネイル１２Ｂを探したり、逆にヒットした楽曲のサムネイル１２Ｂをヒントにしてその年の事件を知ることができる。
【００７３】
また、ウィンドウ１１Ａと１１Ｂとの間では、年代情報が伝達されるので、ウィンドウ１１Ａにおけるサムネイル１２Ａと、ウィンドウ１１Ｂのサムネイル１２Ｂとで最初（開始年）のサムネイルおよび最後（終了年）のサムネイルを合わせる必要もない。例えば、ある年のサムネイル１２Ａに対応するサムネイル１２Ｂがなくてもよく、その場合には、そのサムネイル１２Ｂに対応する部分を空白にしておけばよい。
【００７４】
なお、この例においては、サムネイル１２Ａとサムネイル１２Ｂの分解能が年単位で同じであるが、異なる時間単位の場合でも、〔１〕の場合と同様に処理することができる。
【００７５】
〔３−２〕  その２
図８に示す例においては、ウィンドウ１１Ａに楽曲の年間ベストのサムネイル１２Ａを表示し、ウィンドウ１１Ｂには、ウィンドウ１１Ａの中央に位置したサムネイル１２Ａの示す年における出来事を紹介した記事（情報）をサムネイル１２Ｂとして表示した場合である。
【００７６】
このように伝達先のウィンドウ１１Ｂのサムネイル１２Ｂは必ずしも時系列に並べられた情報である必要はなく、伝達された年代に応じた処理もスクロール処理とは異なる処理でもよい。
【００７７】
〔４〕  まとめ
上述したスクロール方法によれば、２つ連動するのウィンドウ１１Ａ、１１Ｂにおいて、連動元のサムネイルをスクロールさせると、そのスクロールの結果が連動先のサムネイルの表示単位で伝達されるので、連動先のサムネイルはその表示単位のスクロールとなる。したがって、例えば図１〜図３にも示すように、年ごとのサムネイル１２Ａと月ごとのサムネイル１２Ｂとの対応が分かりやすく、瞬時に２つのウィンドウ１１Ａ、１１Ｂのサムネイル１２Ａ、１２Ｂの対応関係を把握することができる。
【００７８】
また、例えば、年ごとのサムネイル１２Ａと、月ごとのサムネイル１２Ｂとが同時に表示されるので、全体を俯瞰的に見ることができると同時に、一部を詳細に見ることができる。さらに、例えば図７に示すように、連動元のウィンドウと連動先のウィンドウでデータの開始点や終了点の整合性を取る必要がない。また、連動先のウィンドウの処理は、スクロール以外にも、伝達された情報に応じた処理をすることができる。
【００７９】
さらに、上述においては、ウィンドウ１１Ａ、１１Ｂのサムネイル１２Ａ、１２Ｂが、ＣＤのジャケットの場合であるとしたが、年表、書籍の表紙、各種の資料、プライベートな写真、静止画、動画、ネットワーク１３１を通じてダウンロードができる楽曲などのコンテンツのサムネイルなどとすることもできる。そして、それらの場合、目的とするサムネイル１２Ａあるいは１２Ｂをクリックしたとき、そのサムネイルを与えているコンテンツ（本体）を本来の大きさで表示したり、ダウンロードをしたりすることもできる。
【００８０】
また、上述においては、ウィンドウ１１Ａ、１１Ｂのスクロール方向が時間軸であるが、例えば、住所録において、ウィンドウ１１Ａに、氏名の先頭の文字を示す「あ」、「か」、…、「わ」のサムネイル１２Ａを表示し、ウィンドウ１１Ｂに、ウィンドウ１１Ａの中央に位置するサムネイルの文字を先頭に有する人の氏名や写真などを表示するとともに、ウィンドウ１１Ａ、１１Ｂの内容について、〔１〕において説明したようにスクロールすることもできる。
【００８１】
すなわち、
(A) ウィンドウ１１Ａに大分類により分類した事項（例えばＮ年）のサムネイル１２Ａを所定の順序で表示する。  
(B) ウィンドウ１１Ｂに小分類により分類した事項（例えばｎ月）のサムネイル１２Ｂを所定の順序で表示する。  
(C) サムネイル１２Ａ、１２Ｂの表示をスクロール可能とする。  
(D) ウィンドウ１１Ｂの中央に位置するサムネイル１２Ｂに対応する小分類の事項（Ｎ年ｎ月）が、ある大分類の事項（Ｎ年）に含まれるとき、その大分類の事項（Ｎ年）サムネイル１２Ａを、常にがウィンドウ１１Ａの中央に表示する。
【００８２】
ようにすればよい。
【００８３】
〔略語の一覧〕
ＢＩＯＳ：Basic Input/Output System
ＣＤ    ：Compact Disc
ＣＰＵ  ：Central Processing Unit
Ｄ／Ａ  ：Digital to Analog
ＮＡＳ  ：Network Attached Storage
ＯＳ    ：Operating System
ＲＡＭ  ：Random Access Memory
ＲＯＭ  ：Read Only Memory
【図面の簡単な説明】
【００８４】
【図１】この発明における表示例を示す図である。
【図２】この発明における表示の変化の例を示す図である。
【図３】この発明における表示の変化の例を示す図である。
【図４】この発明の動作を説明するための図である。
【図５】この発明の一形態を示す系統図である。
【図６】この発明の一形態を示すフローチャートである。
【図７】この発明の他の表示例を示す系統図である。
【図８】この発明の他の表示例を示す系統図である。
【図９】この発明を説明するための図である。
【図１０】この発明を説明するための図である。
【図１１】この発明を説明するための図である。
【符号の説明】
【００８５】
１０…表示画面（表示領域）、１１Ａおよび１１Ｂ…ウィンドウ、１２Ａおよび１２Ｂ…サムネイル、１４Ａおよび１４Ｂ…スクロールバー、１５Ａおよび１５Ｂ…スクロールボタン、１００…パーソナルコンピュータ、１０１…ＣＰＵ、１０４…ハードディスク装置、１０９…マウス、１２２…ディスプレイ
【図１】
2008052621.tif 000003
【図２】
2008052621.tif 000004
【図３】
2008052621.tif 000005
【図４】
2008052621.tif 000006
【図５】
2008052621.tif 000007
【図６】
2008052621.tif 000008
【図７】
2008052621.tif 000009
【図８】
2008052621.tif 000010
【図９】
2008052621.tif 000011
【図１０】
2008052621.tif 000012
【図１１】
2008052621.tif 000013